(57)【要約】【課題】利用者が荷物を預け入れる度に預かりカードのようなものが発行される必要のないロッカー装置を提供する。【解決手段】複数のロッカー１０、コード読取装置２、コントロール装置３を備える。ロッカー１０は、扉１１の施解錠を行う施解錠装置１２を備える。コントロール装置３は、ロッカー１０の利用を許可する利用許可コードを設定し、コード読取装置２にて利用許可コードが読み取られた時に、空いているロッカー１０の扉１１を解錠し、当該扉１１が利用者に閉じられて施錠した後にコード読取装置２にて当該利用許可コードが読み取られた時に、当該扉１１を解錠するロッカー装置である。コントロール装置３は、所定の期間内の利用を許可する利用許可コードを設定し、所定の期間の経過後に当該利用許可コードを消去する。【選択図】図１
2013044156.tif 000002
【特許請求の範囲】
【請求項１】
複数の収納部と、コード読取装置と、コントロール装置と、を備え、前記収納部は、扉と前記扉の施解錠を行う施解錠装置とを備え、前記コントロール装置は、前記収納部の利用を許可する利用許可コードを設定し、前記コード読取装置にて前記利用許可コードが読み取られた時に、空いている前記収納部の前記扉を前記施解錠装置にて解錠し、当該扉が利用者に閉じられて施錠した後に前記コード読取装置にて当該利用許可コードが読み取られた時に、当該扉を前記施解錠装置にて解錠するロッカー装置であって、前記コントロール装置は、所定の期間内の利用を許可する前記利用許可コードを設定し、前記所定の期間の経過後に当該利用許可コードを消去することを特徴とするロッカー装置。
【発明の詳細な説明】
【技術分野】
【０００１】
本発明は、ロッカー装置に関するものである。
【背景技術】
【０００２】
従来から、コインロッカーのようなロッカー装置が広く用いられている。ロッカー装置は、ボックス内に扉を有する収納部を複数備え、扉の施解錠をキーで行うものであったが、キーを用いることによりガチャガチャといった不快音が発生するという問題があった。
【０００３】
そこで、コード読取装置を備え、キーの代わりにコードを有するカードが用いられるロッカー装置が開発された（例えば特許文献１参照）。
【先行技術文献】
【特許文献】
【０００４】
【特許文献１】実開平２−３２１８９号公報
【発明の概要】
【発明が解決しようとする課題】
【０００５】
特許文献１に示される従来のロッカー装置は、利用者が荷物を預け入れる時に預かりカードが発行され、荷物を取り出す際に預かりカードをカードリーダーに読み取らせるものであった。しかしながら、利用者が荷物を預け入れる度に預かりカードが発行されるものであった。
【０００６】
本発明は上記従来の問題点に鑑みて発明したものであって、その目的とするところは、利用者が荷物を預け入れる度に預かりカードのようなものが発行される必要のないロッカー装置を提供することを課題とするものである。
【課題を解決するための手段】
【０００７】
上記課題を解決するために、本発明は、以下のような構成とする。
【０００８】
複数の収納部と、コード読取装置と、コントロール装置と、を備え、前記収納部は、扉と前記扉の施解錠を行う施解錠装置とを備え、前記コントロール装置は、前記収納部の利用を許可する利用許可コードを設定し、前記コード読取装置にて前記利用許可コードが読み取られた時に、空いている前記収納部の前記扉を前記施解錠装置にて解錠し、当該扉が利用者に閉じられて施錠した後に前記コード読取装置にて当該利用許可コードが読み取られた時に、当該扉を前記施解錠装置にて解錠するロッカー装置であって、前記コントロール装置は、所定の期間内の利用を許可する前記利用許可コードを設定し、前記所定の期間の経過後に当該利用許可コードを消去することを特徴とする。
【発明の効果】
【０００９】
本発明のロッカー装置は、利用者が荷物を預け入れる度に預かりカードのようなものが発行される必要がないものである。
【図面の簡単な説明】
【００１０】
【図１】本発明の一実施形態の概略構成図である。
【図２】同上のボックスの正面図である。
【図３】同上に用いられるチケットの図である。
【図４】同上における単位フローのフローチャートである。
【発明を実施するための形態】
【００１１】
以下、本発明を図１乃至図４に示す実施形態に基いて説明する。
【００１２】
ロッカー装置は、図１に示すように、外郭となるボックス１を備え、このボックス１内に、複数の収納部（以下、ロッカー１０という）と、コード読取装置２と、コントロール装置３とが設けられる。ボックス１は、前開口を介して前方に開放され、内部が仕切りで仕切られて複数のロッカー１０が形成される。ロッカー１０には、前開口を介して前方に開放される収納空間（不図示）と、前開口を開閉する扉１１（図２参照）と、扉１１の施解錠を行う施解錠装置１２と、が設けられる。また、ボックス１の一部は前方に開放されず、この内部にコントロール装置３とコード読取装置２とが収納される。
【００１３】
施解錠装置１２は、後述する制御部３１により施解錠される電気錠で、扉１１の施錠・解錠状態を検知することができる。扉１１には、開く方向に付勢力が作用しており、施解錠装置１２により解錠されると、扉１１は自動で開くようになっている。また、利用者が荷物をロッカー１０に預け入れて施錠しようとする場合には、利用者が扉１１を前記付勢力に抗して閉じることで、施錠が自動で行われる。なお、図示しないが、施解錠装置１２が施錠セットレバーを備えていて、利用者が扉１１を閉じる時に施錠セットレバーを操作することで扉１１が施錠されるもの等でもよい。なお、施解錠装置１２については様々なものが公知となっていて、これらが適宜適用可能であり、詳細な説明は省略する。
【００１４】
コントロール装置３は、制御部３１と、記憶部３２と、計時手段３３と、報知手段３４と、を備えている。制御部３１は、施解錠装置１２により扉１１を施解錠させるもので、ボックス１に全ロッカー１０を制御する制御部３１が一個設けられるか、あるいは各ロッカー１０にそれぞれ設けられる。本実施形態では、制御部３１はマイクロコンピュータからなり、ボックス１に一個設けられている。記憶部３２は、各種情報を記憶するもので、ＥＥＰＲＯＭやハードディスク等からなり、制御部３１により情報が記憶されたり削除（消去）されたりする。
【００１５】
この記憶部３２には、ロッカー１０の利用が許可されている識別コード（後述する利用許可コード）と、ロッカー１０毎に対応する、該ロッカー１０が施錠されているか否かの施解錠情報と、該ロッカー１０が利用されているか否かの利用情報と、該ロッカー１０が利用されている場合の利用者の識別コード（後述する利用コード）と、該ロッカー１０の利用がいつ開始されたかの利用開始情報と、が記憶される。
【００１６】
計時手段３３は、少なくともタイマ機能を備えるものであるが、本実施形態では時刻を知ることができるものである。報知手段３４は、音声や表示により報知を行うもので、スピーカや文字ディスプレイや点灯ランプ等、特に限定されない。
【００１７】
コード読取装置２は、印刷されたバーコードのようなコード４（図３参照）を光学的に読み取ったり、磁気情報からなるコードを読み取ったりするものである。本実施形態のコード読取装置２は、バーコードを読み取るいわゆるバーコードリーダであるが、コード読取装置２には前記磁気情報を読み取るもの等でもよく、様々な公知のコード読取装置２が適宜適用可能であり、特に限定されない。また、バーコードは旧知のものや二次元バーコード（いわゆるＱＲコード（登録商標））等、特に限定されない。なお、コード読取装置２については様々なものが公知となっており、詳細な説明は省略する。
【００１８】
上記ロッカー装置は、主に美術館や博物館といった施設に設置されるが、体育館等の他の施設や、駅や各種店舗（百貨店、ショッピングモール等）、集合住宅に設けられてもよく、特に限定されない。本実施形態では、ロッカー装置が美術館に設けられるものとして説明する。
【００１９】
美術館の入館者（観覧客）は、図３に示すようなチケット５（入館券）を購入し、入館時に回収用の半券５２を回収され、所持用の半券５１を所持して入館する。少なくとも所持用の半券５１には、ロッカー装置利用のためのコード４としてバーコードが印刷されるもので、本実施形態では回収用の半券５２にもコード４としてのバーコードが印刷されている。コード４に込められているコード情報は各チケット５毎に異なるもので、このコード情報が、該コード情報（コード４）が印刷されているチケット５を所有する入館者に割り振られた識別コードとなる。識別コードは、一度発行されたものは二度と発行されないのが好ましいが、識別コードの数は有限であり枯渇に至る場合もあるため、この場合には充分に長い期間（例えば数年）をあけて二回目以降の発行が行われるようにする。
【００２０】
そして、この識別コードは、所定の期間内にロッカー１０の利用が許可されている識別コード（これを「利用許可コード」とする）として、記憶部３２に記憶される。ここで、所定の期間とは、美術館の営業時間（例えば午前１０時から午後８時まで）としたり、あるいは、ロッカー１０の利用開始からの所定の時間（例えば２４時間）としたり、適宜設定され、本実施形態ではロッカー１０の利用開始からの所定の時間とする。なお、チケット５の購入やチケット５の発行に先立って、割り振りが予定される識別コードが利用許可コードとして記憶部３２に記憶されてもよい。
【００２１】
入館者は必ずしもロッカー１０を利用する必要はなく、利用希望者のみがロッカー１０を利用するものである。このためロッカー装置のボックス１は、想定される入館者数（すなわち、同時に館内にいると想定される最大の入館者数）分のロッカー１０を備えていなくてもよい。
【００２２】
以下、このロッカー装置の動作の単位となるフロー（これを「単位フロー」とする）について図４に基づいて説明する。
【００２３】
入館者のうちのロッカー１０の利用希望者は、半券５１に印刷されたコード４をコード読取装置２の読取部２１にかざして、コード読取装置２に識別コードを読み取らせる。
【００２４】
コード読取装置２で識別コードが読み取られると、制御部３１により単位フローのプログラムの実行が開始され（ステップＳ１）、利用許可コードのうちで合致するものがあるか否かを判定する「利用許可判定」が実行される（ステップＳ２）。制御部３１は、利用許可判定の結果、この読み取られた識別コードに合致する利用許可コードがない場合には、ロッカー１０の利用が許可されていない識別コードであると判定し、その旨を報知手段３４により報知して（ステップＳ３）、単位フローを終了する（ステップＳ４）。単位フローが終了すると、次にコード４がコード読取装置２にかざされて、単位フローのプログラムの実行が開始されるのを待機する状態となるもので、後述するステップＳ８、Ｓ１２、Ｓ１６での終了時も同様である。なお、報知手段３４による報知はなくてもよい。
【００２５】
また、制御部３１は、読み取られた識別コードに合致する利用許可コードがある場合には、ロッカー１０の利用がなされている識別コードであるか否かを判定する「利用判定」が実行される（ステップＳ５）。制御部３１は、利用判定において、読み取られた識別コードが、各ロッカー１０毎に記憶されている利用者の識別コード（これを「利用コード」とする）に合致するものの有無を判定するものである。利用判定において、読み取られた識別コードが利用コードのうちに合致するものが無い場合には、いずれのロッカー１０も、該識別コードが割り振られている入館者に利用されていないこととなり、ステップＳ６〜ステップＳ１１の預け入れフローへ移行する。
【００２６】
預け入れフローでは、制御部３１により、この時点で利用されていないロッカー１０の有無を判定する「空き判定」が実行される（ステップＳ６）。制御部３１は、空き判定の結果、利用されていない空きロッカー１０が無い場合には、空きロッカー１０が無い旨を報知手段３４により報知して（ステップＳ７）、単位フローを終了する（ステップＳ８）。
【００２７】
制御部３１は、ステップＳ６の空き判定の結果、利用されていない空きロッカー１０が有る場合には、そのうち一つのロッカー１０を割り当てるもので（ステップＳ９）、割り当ては何らかの規則性に従ってもよいし、ランダムでもよい。そしてステップＳ９において、記憶部３２には、割り当てられたロッカー１０について、利用情報として「利用中」の旨が記憶され、利用コードとして該識別コードが記憶され、利用開始情報としての日時（分、秒まで含む）が記憶され、施解錠装置１２により解錠されて該ロッカー１０の扉１１が開く。
【００２８】
利用者は、扉１１が開くことで割り当てられたロッカー１０を認識し、当該ロッカー１０に荷物を預け入れ、扉１１を閉じる。ステップＳ１０において施解錠装置１２が施錠を検知すると、制御部３１は、施解錠情報として該ロッカー１０が施錠されていることを記憶部３２に記憶させ（ステップＳ１１）、単位フローを終了する（ステップＳ１２）。
【００２９】
利用者は観覧後、荷物を取り出そうとする時に、上述したように、半券５１に印刷されたコード４をコード読取装置２の読取部２１にかざして、コード読取装置２にコード４を読み取らせる。そして、単位フローのプログラムの実行が開始され（ステップＳ１）、ステップＳ５まで順に移行し、利用判定が実行される。利用判定では、当該識別コードが利用コードのうちで合致するものが有るため、ステップＳ１３〜ステップＳ１６の取り出しフローへ移行する。
【００３０】
取り出しフローでは、該識別コードと合致した利用コードが記憶されているロッカー１０の施解錠装置１２により解錠されて当該ロッカー１０の扉１１が開く（ステップＳ１３）。利用者は、扉１１が開いたロッカー１０から荷物を取り出して扉１１を閉じ、ロッカー１０の利用を終了する。ステップＳ１４において施解錠装置１２が施錠を検知すると、制御部３１は、当該ロッカー１０について、施解錠情報として当該ロッカー１０が施錠されていることを記憶部３２に記憶させ、利用情報として「空き」の旨を記憶させ、利用コードと利用開始情報とが削除され（ステップＳ１５）、単位フローを終了する（ステップＳ１６）。
【００３１】
利用者が、再び荷物を預け入れようとする場合には、再び上記手順を行えばよいが、ロッカー１０は前回利用したロッカー１０と同じであるとは限らない。
【００３２】
本実施形態においては、所定の期間内において、利用許可コードが繰り返し利用可能である。そして、ロッカー１０の利用が所定の期間継続した場合、当該ロッカー１０の利用を強制的に終了させるため、単位フローとは別にこれと並行して、強制終了フロー（不図示）が実行される。
【００３３】
強制終了フローは、各ロッカー１０の利用開始情報と計時手段３３での計時情報を基に、各ロッカー１０での利用時間が所定の期間を超過した時に、ロッカー装置の管理者にその旨の通知が行われる。通知は、ボックス１外に設けられ、制御部３１から有線または無線で送信可能に接続される通知手段３５により行われる。通知手段３５は、報知手段３４と同様に音声や表示により報知を行うもので、スピーカや文字ディスプレイや点灯ランプ等、特に限定されない。
【００３４】
その後、ロッカー装置の管理者は、該ロッカー１０の扉１１０を開けて荷物を取り出し、保管する等して管理する。
【００３５】
上記のようなロッカー装置においては、従来のロッカー装置のように、利用者がキーを用いる必要がないため、キーを用いることによるガチャガチャといった不快音が発生しない。また、利用者がキーコード４が印刷された半券５１を紛失した場合でも、キーを補充する必要がなく、また、チケット５の半券５１には個人情報が含まれていないため、個人情報が漏洩する惧れも全くない。
【００３６】
利用者がコード４が印刷された半券５１を紛失した場合には、ロッカー装置の管理者は、利用者の申し出に応じて、マスターキーに相当するマスターコード等により該ロッカー１０の扉１１を開けて荷物を取り出し、利用者に返還する。そして、該ロッカー１０は、施錠されると、利用コードと利用開始情報とが削除され、利用情報として「空き」の旨が記憶されて単位フローが終了し、「空き」ロッカー１０として待機状態となる。なお、利用者が紛失した半券５１に対応する回収用の半券５２が特定可能であれば、その半券５２に印刷されたコード４により、該ロッカー１０の扉１１が開けられる。
【００３７】
また、所定の期間内において、利用許可コードが繰り返し利用可能であるため、利用者が荷物を預け入れる度にコードが発行される必要がなく、またコードが印刷等されたカードのような媒体も必要なく、運用コストの低減が可能である。また、利用者が所定の期間を越えても荷物を取りに来ない場合には利用を強制的に終了させるため、長期間の占有を阻止することができる。
【００３８】
また、上記実施形態では、強制終了フローにおいて、ロッカー１０の利用開始からの所定の時間継続した場合に、当該ロッカー１０の利用を強制的に終了させていた。これに対し、強制終了フローにおいて、所定の時点において、全ロッカー１０の利用を強制的に終了させてもよい。
【００３９】
例えば、美術館の営業時間が午前１０時から午後８時までとした場合、入館者は午後８時以降は残っておらず、ロッカー１０の利用もないはずである。従って、午後８時以降でのロッカー１０の利用は荷物の取り忘れであり、ロッカー装置の管理者は、午後８時以降の任意の時点で全ロッカー１０の利用を強制的に終了させ、取り忘れのあるロッカー１０の荷物を取り出し、忘れ物として保管する等して管理する。
【００４０】
これにより、利用者が所定の時点を越えても荷物を取りに来ない場合にロッカー１０の利用を強制的に終了させることができて、長期間の占有を阻止することができる。また、ロッカー１０毎に対応して頻繁に荷物を取りに行くこともなく、管理が容易になる。
【００４１】
また、コード４としてバーコードが用いられることで、印刷によりコード４を形成できて、磁気コードに比べて安価となる。なお、コード４は印刷により形成されるのではなく、複写やその他手段により形成されてもよく、光学的に読取可能であれば特に限定されない。
【００４２】
また、必ず要るチケット５にコード４を印刷することで、コード４を発行するための媒体が新たに必要とならず、運用コストの低減と手間の省略が可能であり、また、コード４発行機も不要となり初期投資のコストの低減も可能である。
【符号の説明】
【００４３】
１    ボックス
１０  ロッカー
１１  扉
１２  施解錠装置
２    コード読取装置
２１  読取部
３    コントロール装置
３１  制御部
３２  記憶部
３３  計時手段
３４  報知手段
３５  通知手段
４    コード
５    チケット
【図１】
2013044156.tif 000003
【図２】
2013044156.tif 000004
【図３】
2013044156.tif 000005
【図４】
2013044156.tif 000006